(57)【要約】【課題】鋼板製の壁パネルおよび陶磁器製の壁パネルのそれぞれを単独でより容易に外すことができる浴室コーナ部の壁パネル連結構造を提供することを目的とする。【解決手段】鋼板を有する第１の壁パネルの端縁部と、陶磁器を有する第２の壁パネルの端縁部と、が浴室コーナ部に立設された柱材において互いに接続され、第１の壁パネルと、第２の壁パネルと、が互いに連結される浴室コーナ部の壁パネル連結構造であって、係合部第１の壁パネルの前面は、第２の壁パネルの側面と同一の位置または第２の壁パネルの側面よりも鋼板の背面の側へ後退した位置に設けられ、第２の壁パネルの前面は、第１の壁パネルの側面と同一の位置または第１の壁パネルの側面よりも壁体の背面の側へ後退した位置に設けられることを特徴とする浴室コーナ部の壁パネル連結構造が提供される。【選択図】図８
2014185462.tif 000002
【特許請求の範囲】
【請求項１】
鋼板を有する第１の壁パネルの端縁部と、陶磁器を有する第２の壁パネルの端縁部と、が浴室コーナ部に立設された柱材において互いに接続され、前記第１の壁パネルと、前記第２の壁パネルと、が互いに連結される浴室コーナ部の壁パネル連結構造であって、
前記鋼板は、
左右の両側縁が背面の側へ折り曲げられて形成される側面と、
前記側面から延在する部分の先端部が前記第１の壁パネルの裏側へ折り曲げられて形成される第１の係合突部と、
を有し、
前記第２の壁パネルは、
陶磁器製の壁体と、
両側縁に設けられた係合部を有し前記壁体の背面に設けられたフレーム体と、
を有し、
前記柱材は、
前記第１の係合突部と係合する第１の被係合部と、
前記係合部と係合する第２の被係合部と、
前記第１の壁パネルの側面と当接する第１の受け面と、
前記第２の壁パネルの側面と当接する第２の受け面と、
を有し、
前記第１の壁パネルの前記側面と前記第１の受け面とが当接した状態において、前記第１の壁パネルの前面は、前記第２の壁パネルの側面と同一の位置または前記第２の壁パネルの前記側面よりも前記鋼板の背面の側へ後退した位置に設けられ、
前記第２の壁パネルの前記側面と前記第２の受け面とが当接した状態において、前記第２の壁パネルの前面は、前記第１の壁パネルの側面と同一の位置または前記第１の壁パネルの前記側面よりも前記壁体の背面の側へ後退した位置に設けられることを特徴とする浴室コーナ部の壁パネル連結構造。
【請求項２】
前記壁体の側面は、前記フレーム体の側面よりも前記第２の壁パネルの内側へ後退した位置に設けられ、
前記壁体の側面と、前記第２の受け面と、の間にシーリング材を充填可能な隙間が設けられたことを特徴とする請求項１記載の浴室コーナ部の壁パネル連結構造。
【請求項３】
前記柱材は、前記第１の被係合部と相対して設けられた第３の被係合部をさらに有し、
前記第１の受け面および前記第２の受け面は、上下方向に延在する壁カールピースにより一体的に形成され、
前記壁カールピースは、前記第１の受け面から延在する部分の先端部が前記壁カールピースの裏側に折り曲げられて形成され前記第３の被係合部と係合する第２の係合突部を有することを特徴とする請求項１または２に記載の浴室コーナ部の壁パネル連結構造。
【発明の詳細な説明】
【技術分野】
【０００１】
本発明の態様は、一般的に、浴室コーナ部の壁パネル連結構造に関する。
【背景技術】
【０００２】
浴室空間においてこれまでよりもゆったりと安らぐことができるように、壁材の材質に工夫を凝らし浴室壁面の意匠を新しくする提案がなされている。例えば、鋼板製の壁パネルを浴室の周囲に設置しつつ、表面に凹凸が施された陶磁器製の壁パネルを壁の一面に設置する試みがある。これによれば、陶磁器製の壁パネルの凹凸に照明を当てることで壁表面の陰影を楽しむことができる。
【０００３】
ここで、無機面材やＦＲＰ板で形成されたパネル本体を有する壁パネルＡと、鋼板の裏面に石膏ボード等の断熱材が貼着された壁パネルＢと、を連結支持するユニットルームの壁パネル連結構造がある（特許文献１）。
【０００４】
しかし、特許文献１に記載されたユニットルームの壁パネル連結構造では、鋼板製の壁パネルＢを外さないと、無機面材などを有する壁パネルＡを外すことができない。そのため、壁を修理する際には多大な手間がかかるという問題がある。また、連結支持された２つの壁パネル同士の間にほとんど隙間がないため、例えばシリコーンなどのシーリング材を２つの壁パネル同士の間に十分に充填することが困難であるという問題がある。
【先行技術文献】
【特許文献】
【０００５】
【特許文献１】特開２００５−１５５２４８号公報
【発明の概要】
【発明が解決しようとする課題】
【０００６】
本発明は、かかる課題の認識に基づいてなされたものであり、鋼板製の壁パネルと陶磁器製の壁パネルとを浴室のコーナ部でより容易に連結することができる、あるいは鋼板製の壁パネルおよび陶磁器製の壁パネルのそれぞれを単独でより容易に外すことができる浴室コーナ部の壁パネル連結構造を提供することを目的とする。
【課題を解決するための手段】
【０００７】
第１の発明は、鋼板を有する第１の壁パネルの端縁部と、陶磁器を有する第２の壁パネルの端縁部と、が浴室コーナ部に立設された柱材において互いに接続され、前記第１の壁パネルと、前記第２の壁パネルと、が互いに連結される浴室コーナ部の壁パネル連結構造であって、前記鋼板は、左右の両側縁が背面の側へ折り曲げられて形成される側面と、前記側面から延在する部分の先端部が前記第１の壁パネルの裏側へ折り曲げられて形成される第１の係合突部と、を有し、前記第２の壁パネルは、陶磁器製の壁体と、両側縁に設けられた係合部を有し前記壁体の背面に設けられたフレーム体と、を有し、前記柱材は、前記第１の係合突部と係合する第１の被係合部と、前記係合部と係合する第２の被係合部と、前記第１の壁パネルの側面と当接する第１の受け面と、前記第２の壁パネルの側面と当接する第２の受け面と、を有し、前記第１の壁パネルの前記側面と前記第１の受け面とが当接した状態において、前記第１の壁パネルの前面は、前記第２の壁パネルの側面と同一の位置または前記第２の壁パネルの前記側面よりも前記鋼板の背面の側へ後退した位置に設けられ、前記第２の壁パネルの前記側面と前記第２の受け面とが当接した状態において、前記第２の壁パネルの前面は、前記第１の壁パネルの側面と同一の位置または前記第１の壁パネルの前記側面よりも前記壁体の背面の側へ後退した位置に設けられることを特徴とする浴室コーナ部の壁パネル連結構造である。
【０００８】
この浴室コーナ部の壁パネル連結構造によれば、第１の壁パネルおよび第２の壁パネルの両方は、柱材との係合により端縁部において接続され、連結されている。これにより、第１の壁パネルと第２の壁パネルとの接続をより容易に行うことができ、より優れた施工性を得ることができる。
【０００９】
また、第１の受け面と当接した第１の壁パネルの前面は、第２の壁パネルの側面と同一の位置または第２の壁パネルの側面よりも鋼板の背面の側へ後退した位置に設けられる。一方、第２の受け面と当接した第２の壁パネルの前面は、第１の壁パネルの側面と同一の位置または第１の壁パネルの側面よりも壁体の背面の側へ後退した位置に設けられる。これにより、第１の壁パネルおよび第２の壁パネルのいずれか一方を第１の壁パネルおよび第２の壁パネルのいずれか他方に干渉されることなく単独で外すことができる。そのため、第１の壁パネルおよび第２の壁パネルのメンテナンス作業をより容易に行うことができ、より優れたメンテナンス性を得ることができる。
【００１０】
第２の発明は、第１の発明において、前記壁体の側面は、前記フレーム体の側面よりも前記第２の壁パネルの内側へ後退した位置に設けられ、前記壁体の側面と、前記第２の受け面と、の間にシーリング材を充填可能な隙間が設けられたことを特徴とする浴室コーナ部の壁パネル連結構造である。
【００１１】
この浴室コーナ部の壁パネル連結構造によれば、壁体の側面と、第２の受け面と、の間に、十分な量のシーリング材を充填させることができ、十分なシール機能を発揮することができる。つまり、第１の壁パネルと第２の壁パネルとの間に、十分な量のシーリング材を充填させることができる。また、フレーム体は、壁体の側面と、第２の受け面と、の間の隙間の奥を塞ぐ。これにより、シーリング材が奥へ抜けることを抑え、シーリング材が無駄になることを抑えることができる。
【００１２】
第３の発明は、第１または２の発明において、前記柱材は、前記第１の被係合部と相対して設けられた第３の被係合部をさらに有し、前記第１の受け面および前記第２の受け面は、上下方向に延在する壁カールピースにより一体的に形成され、前記壁カールピースは、前記第１の受け面から延在する部分の先端部が前記壁カールピースの裏側に折り曲げられて形成され前記第３の被係合部と係合する第２の係合突部を有することを特徴とする浴室コーナ部の壁パネル連結構造である。
【００１３】
この浴室コーナ部の壁パネル連結構造によれば、柱材の部品として、鋼板を有する壁パネル同士を平面上で接続する平ジョイナを用いることができる。そのため、陶磁器を有する壁パネルと、鋼板を有する壁パネルと、が互いに隣接する浴室コーナ部の壁パネル連結構造を簡略化し、コストの低減を図ることができる。
【発明の効果】
【００１４】
本発明の態様によれば、鋼板製の壁パネルと陶磁器製の壁パネルとを浴室のコーナ部でより容易に連結することができる、あるいは鋼板製の壁パネルおよび陶磁器製の壁パネルのそれぞれを単独でより容易に外すことができる浴室コーナ部の壁パネル連結構造が提供される。
【図面の簡単な説明】
【００１５】
【図１】本発明の実施の形態にかかる浴室コーナ部の壁パネル連結構造を備える浴室ユニットを表す模式的斜視図である。
【図２】本発明の実施の形態にかかる浴室コーナ部の壁パネル連結構造を備える他の浴室ユニットを表す模式的斜視図である。
【図３】本実施形態の第２の壁パネルを表す模式的平面図である。
【図４】本実施形態の第２の壁パネルを表す模式的平面図である。
【図５】本実施形態の第２の壁パネルを表す模式的平面図である。
【図６】本実施形態の第２の壁パネルを表す模式的平面図である。
【図７】本実施形態の第１の壁パネルを表す模式的平面図である。
【図８】本実施形態にかかる浴室コーナ部の壁パネル連結構造を表す模式的断面図である。
【図９】本実施形態の柱材本体、第１のジョイナおよびクランプばねを表す模式図である。
【図１０】本実施形態の壁カールピースを表す模式図である。
【図１１】第１の壁パネルおよび第２の壁パネルの組立手順の一例を例示する模式的断面図である。
【図１２】第１の壁パネルおよび第２の壁パネルの組立手順の一例を例示する模式的断面図である。
【図１３】第１の壁パネルおよび第２の壁パネルの組立手順の他の一例を例示する模式的断面図である。
【図１４】第１の壁パネルおよび第２の壁パネルの組立手順の他の一例を例示する模式的断面図である。
【図１５】本発明の他の実施の形態にかかる浴室コーナ部の壁パネル連結構造を表す模式的断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる浴室コーナ部の壁パネル連結構造を備える浴室ユニットを表す模式的斜視図である。  
図２は、本発明の実施の形態にかかる浴室コーナ部の壁パネル連結構造を備える他の浴室ユニットを表す模式的斜視図である。
【００１７】
図１に表した浴室ユニット１０は、洗い場床１００と、浴槽２００と、壁材３００と、を備える。  
洗い場床１００は、周縁部が上側に折り曲げられた浅底の器状（パン状）に形成され、浴室ユニット１０の外部に水を漏出させない防水性を有する。なお、本願明細書において「水」という場合には、冷水のみならず、加温されたお湯も含むものとする。
【００１８】
壁材３００は、洗い場床１００の上に立設され、浴室ユニット１０の４面を形成する。壁材３００は、第１の壁パネル３１０と、第２の壁パネル３２０と、第３の壁パネル３３０と、第４の壁パネル３４０（図２参照）と、を有する。例えば、図示しないドアが図示しないドア枠を介して第４の壁パネル３４０に設けられている。なお、第１〜４の壁パネル３１０、３２０、３３０、３４０のそれぞれは、複数のパネルを有していてもよい。
【００１９】
洗い場床１００から浴槽２００へ向かう方向あるいは浴槽２００から洗い場床１００へ向かう方向と略平行に設置された壁パネル（図１に表した浴室ユニット１０および図２に表した浴室ユニット２０では、第２の壁パネル３２０）の表面は、例えばタイル等の陶磁器により形成されている。第２の壁パネル３２０の表面には、凹凸が施されている。例えば使用者等は、第２の壁パネル３２０の表面に施された凹凸に照明を当てることで、第２の壁パネル３２０の表面の陰影を楽しむことができる。
【００２０】
なお、図２に表した浴室ユニット２０のように、第２の壁パネル３２０からみたときの洗い場床１００と浴槽２００との配設位置は、図１に表した浴室ユニット１０において第２の壁パネル３２０からみたときの洗い場床１００と浴槽２００との配設位置と反対であってもよい。
【００２１】
第１の壁パネル３１０、第３の壁パネル３３０および第４の壁パネル３４０の表面は、鋼板により形成されている。鋼板を有する壁パネル（第１の壁パネル３１０、第３の壁パネル３３０および第４の壁パネル３４０）の構造については、後に詳述する。
【００２２】
陶磁器を有する壁パネルと、鋼板を有する壁パネルと、が互いに隣接する浴室コーナ部には、柱材５００が立設されている。すなわち、第２の壁パネル３２０と第１の壁パネル３１０とが互いに隣接する浴室コーナ部、および第２の壁パネル３２０と第３の壁パネル３３０とが互いに隣接する浴室コーナ部には、柱材５００が立設されている。
【００２３】
柱材５００は、第２の壁パネル３２０の端縁部と第１の壁パネル３１０の端縁部とを接続し、第２の壁パネル３２０と第１の壁パネル３１０とを連結する。あるいは、柱材５００は、第２の壁パネル３２０の端縁部と第３の壁パネル３３０の端縁部とを接続し、第２の壁パネル３２０と第３の壁パネル３３０とを連結する。浴室コーナ部の連結構造については、後に詳述する。
【００２４】
なお、図１に表したように、本実施形態の浴室ユニット１０、２０は、鏡４１０と、カウンタ４２０と、を備えていてもよい。
【００２５】
図３〜図６は、本実施形態の第２の壁パネルを表す模式的平面図である。  
図３は、本実施形態の第２の壁パネル３２０を洗い場床１００から眺めたときの模式的平面図である。図４は、本実施形態の第２の壁パネル３２０を図３に表した矢視Ａ１の方向に眺めたときの模式的平面図である。図５は、本実施形態の第２の壁パネル３２０を洗い場床１００と反対の側（建築躯体の側）から眺めたときの模式的平面図である。図６は、本実施形態の第２の壁パネル３２０を図３に表した矢視Ａ２の方向に眺めたときの模式的平面図である。
【００２６】
図４に表したように、本実施形態の第２の壁パネル３２０は、フレーム体３２１と、第１の表面パネル３２３ａ（壁体）と、第２の表面パネル３２３ｂ（壁体）と、を有する。第１の表面パネル３２３ａおよび第２の表面パネル３２３ｂのそれぞれは、例えばタイル等の陶磁器により形成され、フレーム体３２１の浴室内部の側の表面に接着剤により貼り付けられている。言い換えれば、フレーム体３２１は、第１の表面パネル３２３ａおよび第２の表面パネル３２３ｂの背面（裏面：洗い場床１００と反対側の面）に設けられている。第１の表面パネル３２３ａおよび第２の表面パネル３２３ｂは、突き合わせ面３２９において、例えばシリコーンなどにより互いに接着されている。
【００２７】
なお、第２の壁パネル３２０が設置された状態では、突き合わせ面３２９は、カウンタ４２０により覆われる。これにより、突き合わせ面３２９が洗い場床１００から見られることはなく、浴室壁面の意匠性を確保することができる。なお、表面パネルは、１枚の表面パネルにより形成されていてもよい。
【００２８】
図５および図６に表したように、フレーム体３２１は、上端フレーム材３２４と、下端フレーム材３２５と、両端フレーム材３２７と、を有する。上端フレーム材３２４は、フレーム体３２１の上端に設けられ、左右方向（上下方向に直交する方向）に延在している。下端フレーム材３２５は、フレーム体３２１の下端に設けられ、左右方向に延在している。両端フレーム材３２７は、フレーム体３２１の左右両端のそれぞれに設けられ、上下方向に延在している。
【００２９】
両端フレーム材３２７は、係合部３２８（図８参照）を有し、柱材５００と係合する。つまり、係合部３２８は、フレーム体３２１の左右両側縁のそれぞれに設けられている。係合部３２８と柱材５００との係合構造については、後に詳述する。
【００３０】
図７は、本実施形態の第１の壁パネルを表す模式的平面図である。  
第３の壁パネルおよび第４の壁パネルのそれぞれの構造は、第１の壁パネル３１０の構造と同等である。そのため、図７では、第１の壁パネル３１０を例に挙げて説明する。
【００３１】
図７（ａ）は、本実施形態の第１の壁パネル３１０を建築躯体の側から眺めたときの模式的平面図である。図７（ｂ）は、図７（ａ）に表した切断面Ａ−Ａにおける模式的断面図である。図７（ｃ）は、本実施形態の第１の壁パネル３１０を図７（ａ）に表した矢視Ａ３の方向に眺めたときの模式的平面図である。図７（ｄ）は、図７（ｂ）に表した領域Ｂを拡大した模式的拡大図である。
【００３２】
図７（ａ）に表したように、本実施形態の第１の壁パネル３１０は、石膏ボード等の母材３１１と、鋼板３１３と、を有する。鋼板３１３は、母材３１１の浴室内部の側の表面に接着剤により貼り付けられている。言い換えれば、母材３１１は、鋼板３１３の背面に設けられている。
【００３３】
図７（ｂ）および図７（ｄ）に表したように、鋼板３１３は、左右両側縁において建築躯体の側（背面の側）へ折り曲げられている。これにより、第１の壁パネル３１０の側面３１５が形成されている。左右両側縁において建築躯体の側へ折り曲げられた鋼板３１３の先端部は、裏側（母材３１１の側）へ折り曲げられている。これにより、第１の係合突部３１７が形成されている。つまり、鋼板３１３は、左右両側縁のそれぞれにおいて第１の係合突部３１７を有する。
【００３４】
第１の係合突部３１７は、柱材５００と係合する。第１の係合突部３１７と柱材５００との係合構造については、後に詳述する。
【００３５】
図８は、本実施形態にかかる浴室コーナ部の壁パネル連結構造を表す模式的断面図である。  
図９は、本実施形態の柱材本体、第１のジョイナおよびクランプばねを表す模式図である。  
図１０は、本実施形態の壁カールピースを表す模式図である。
【００３６】
図８は、図１に表した切断面Ｃ−Ｃにおける模式的断面図である。  
図９（ａ）は、本実施形態の柱材本体、第１のジョイナおよびクランプばねを表す模式的斜視図である。図９（ｂ）は、図９（ａ）に表した切断面Ｄ−Ｄにおける模式的断面図である。  
図１０（ａ）は、本実施形態の壁カールピースを表す模式的斜視図である。図１０（ｂ）は、図１０（ａ）に表した切断面Ｅ−Ｅにおける模式的断面図である。
【００３７】
図１および図２に関して前述したように、第２の壁パネル３２０と第１の壁パネル３１０とが互いに隣接する浴室コーナ部、および第２の壁パネル３２０と第３の壁パネル３３０とが互いに隣接する浴室コーナ部には、柱材５００が立設されている。図８では、第２の壁パネル３２０と第１の壁パネル３１０とが互いに隣接する浴室コーナ部の壁パネル連結構造について説明する。なお、第２の壁パネル３２０と第３の壁パネル３３０とが互いに隣接する浴室コーナ部の壁パネル連結構造は、第２の壁パネル３２０と第１の壁パネル３１０とが互いに隣接する浴室コーナ部の壁パネル連結構造と同様である。
【００３８】
柱材５００は、柱材本体５１０と、第１のジョイナ５２０と、第２のジョイナ５３０と、クランプばね５４０と、壁カールピース５５０と、を有する。
【００３９】
図９（ａ）に表したように、柱材本体５１０および第１のジョイナ５２０は、第１の壁パネル３１０の高さ（長さ）と略同じ高さ（長さ）を有し、上下方向に延在している。柱材本体５１０および第１のジョイナ５２０は、例えば鋼板などにより形成されている。第１のジョイナ５２０は、例えば図示しないねじなどの締結部材により柱材本体５１０に固定されている。第１のジョイナ５２０は、第１の被係合部５２１と、第３の被係合部５２５と、を有する。第１の被係合部５２１は、第１のジョイナ５２０の一方の先端部に設けられ、第１の壁パネル３１０の第１の係合突部３１７と係合する。第３の被係合部５２５は、第１のジョイナ５２０の他方の先端部に設けられ、壁カールピース５５０の第２の係合突部５５１と係合する。第３の被係合部５２５は、第１の被係合部５２１と相対するように設けられている。
【００４０】
図９（ａ）に表したように、クランプばね５４０の長さは、第１の壁パネル３１０の長さよりも短い。本実施形態では、複数のクランプばね５４０が設けられている。複数のクランプばね５４０は、互いに上下方向に離隔して柱材本体５１０に付設されている。図９（ｂ）に表したように、クランプばね５４０は、例えばねじなどの締結部材５８１により柱材本体５１０に固定されている。クランプばね５４０は、第２の被係合部５４１を有する。第２の被係合部５４１は、クランプばね５４０の先端部に設けられ、第２の壁パネル３２０の両端フレーム材３２７の係合部３２８と係合する。なお、クランプばね５４０の設置数は、複数に限定されず単数であってもよい。
【００４１】
図１０（ａ）および図１０（ｂ）に表したように、壁カールピース５５０は、第１の壁パネル３１０の高さ（長さ）と略同じ高さ（長さ）を有し、上下方向に延在している。壁カールピース５５０は、例えば鋼板などにより形成されている。壁カールピース５５０は、第２の係合突部５５１と、引っ掛け部５５３と、を有する。第２の係合突部５５１は、壁カールピース５５０の一方の先端部に設けられ、第１のジョイナ５２０の第３の被係合部５２５と係合する。引っ掛け部５５３は、壁カールピース５５０の他方の先端部に設けられ、柱材本体５１０の側面に引っ掛かる。
【００４２】
図１０（ａ）に表したように、壁カールピース５５０の第２の係合突部５５１は、第１の壁パネル３１０の長さと略同じ長さを有する。これに対して、壁カールピース５５０の引っ掛け部５５３の長さは、第１の壁パネル３１０の長さよりも短い。本実施形態では、複数の引っ掛け部５５３が設けられている。複数の引っ掛け部５５３は、互いに上下方向に離隔して設けられている。また、壁カールピース５５０が取り付けられた状態では、引っ掛け部５５３は、クランプばね５４０と上下方向において離隔している。
【００４３】
これにより、壁カールピース５５０の引っ掛け部５５３は、クランプばね５４０と干渉することなく、柱材本体５１０の側面に引っ掛かることができる。言い換えれば、クランプばね５４０は、壁カールピース５５０の引っ掛け部５５３と干渉することなく、第２の被係合部５４１において第２の壁パネル３２０の両端フレーム材３２７の係合部３２８と係合することができる。
【００４４】
図８および図１０（ｂ）に表したように、壁カールピース５５０は、第１の受け面５５５と、第２の受け面５５７と、を有する。第１の壁パネル３１０が取り付けられた状態では、第１の受け面５５５は、第１の壁パネル３１０の側面３１５（図７（ｂ）および図７（ｄ）参照）と当接する。第２の壁パネル３２０が取り付けられた状態では、第２の受け面５５７は、第２の壁パネル３２０の側面３２７ａ（両端フレーム材３２７の側面３２７ａ）と当接する。
【００４５】
第１の受け面５５５から延在する部分の先端部は、壁カールピース５５０の裏側へ折り曲げられている。これにより、第２の係合突部５５１が形成されている。  
第２の受け面５５７から延在する部分の先端部は、壁カールピース５５０の背面の側へ折り曲げられている。これにより、引っ掛け部５５３が形成されている。
【００４６】
第１のジョイナ５２０の第１の被係合部５２１と、第１のジョイナ５２０の第３の被係合部５２５と、の間には、第２のジョイナ５３０が設けられている。第２のジョイナ５３０は、例えば樹脂などにより形成されている。第２のジョイナ５３０は、第１の保持部（第１の被係合部）５３１と、第２の保持部（第３の被係合部）５３３と、を有する。第１の保持部５３１は、第２のジョイナ５３０の一方の先端部に設けられ、第１のジョイナ５２０の第１の被係合部５２１と係合する。第２の保持部５３３は、第２のジョイナ５３０の他方の先端部に設けられ、第１のジョイナ５２０の第３の被係合部５２５と係合する。
【００４７】
図８に表したように、第２のジョイナ５３０の第１の保持部５３１は、第１の壁パネル３１０の第１の係合突部３１７と係合する。つまり、第１の壁パネル３１０の第１の係合突部３１７は、第２のジョイナ５３０の第１の保持部５３１を介して第１のジョイナ５２０の第１の被係合部５２１と係合する。そのため、第２のジョイナ５３０の第１の保持部５３１は、第１のジョイナ５２０の第１の被係合部５２１と同様に、第１の被係合部としての機能を有する。
【００４８】
第２のジョイナ５３０の第２の保持部５３３は、壁カールピース５５０の第２の係合突部５５１と係合する。つまり、壁カールピース５５０の第２の係合突部５５１は、第２のジョイナ５３０の第２の保持部５３３を介して第１のジョイナ５２０の第３の被係合部５２５と係合する。そのため、第２のジョイナ５３０の第２の保持部５３３は、第１のジョイナ５２０の第３の被係合部５２５と同様に、第３の被係合部としての機能を有する。
【００４９】
なお、第２のジョイナ５３０には、シーリング材５３５が設けられている。シーリング材５３５は、例えばシリコーンやゴムなどにより形成され、第１の壁パネル３１０の第１の係合突部３１７および壁カールピース５５０の第２の係合突部５５１と当接している。これにより、水が第１の壁パネル３１０と壁カールピース５５０との間から進入し第１のジョイナ５２０へ到達することを抑制することができる。そのため、鋼板等により形成された第１のジョイナ５２０に錆などが発生することを抑制することができる。
【００５０】
ここで、第１の壁パネル３１０および第２の壁パネル３２０については、例えば破損や汚れなどにより修理を行うことがある。これは、第３の壁パネル３３０についても同様である。このとき、第１の壁パネル３１０を外さないと、第２の壁パネル３２０を外すことができない場合には、第２の壁パネル３２０を修理する際に多大な手間がかかる。あるいは、第２の壁パネル３２０を外さないと、第１の壁パネル３１０を外すことができない場合には、第１の壁パネル３１０を修理する際に多大な手間がかかる。
【００５１】
これに対して、本実施形態にかかる浴室コーナ部の壁パネル連結構造では、第１の壁パネル３１０が第１の受け面５５５と当接した状態において、第１の壁パネル３１０の鋼板３１３の前面（洗い場床１００の側の面）は、第２の壁パネル３２０の側面３２７ａと同一の位置または第２の壁パネル３２０の側面３２７ａよりも第１の壁パネル３１０の背面の側へ後退した位置に設けられている。一方、第２の壁パネル３２０が第２の受け面５５７と当接した状態において、第２の壁パネル３２０の第１の表面パネル３２３ａの前面は、第１の壁パネル３１０の側面３１５と同一の位置または第１の壁パネル３１０の側面３１５よりも第２の壁パネル３２０の背面の側へ後退した位置に設けられている。これは、第２の表面パネル３２３ｂについても同様である。
【００５２】
これによれば、第１の壁パネル３１０および第２の壁パネル３２０のいずれか一方を第１の壁パネル３１０および第２の壁パネル３２０のいずれか他方に干渉されることなく単独で外すことができる。すなわち、第２の壁パネル３２０が柱材５００に接続された状態で、第１の壁パネル３１０の表面を吸盤などで吸着して手前側に引くと、第１の壁パネル３１０の第１の係合突部３１７と第１のジョイナ５２０の第１の被係合部５２１との係合が解除されて、第１の壁パネル３１０を柱材５００から外すことができる。また、第１の壁パネル３２０が柱材５００に接続された状態で、第２の壁パネル３２０の表面を吸盤などで吸着して手前側に引くと、第２の壁パネル３２０の係合部３２８とクランプばね５４０の第２の被係合部５４１との係合が解除されて、第２の壁パネル３２０を柱材５００から外すことができる。そのため、第１の壁パネル３１０および第２の壁パネル３２０のメンテナンス作業をより容易に行うことができ、より優れたメンテナンス性を得ることができる。  
また、前述したように、第１の壁パネル３１０および第２の壁パネル３２０の両方は、柱材５００との係合により端縁部において接続され、連結されている。これにより、第１の壁パネル３１０と第２の壁パネル３２０との接続をより容易に行うことができ、より優れた施工性を得ることができる。
【００５３】
また、図８に表したように、第１の表面パネル３２３ａの側面３２３ｃ（第２の表面パネル３２３ｂの側面３２３ｃ）は、両端フレーム材３２７の側面３２７ａよりも第２の壁パネル３２０の内側へ後退している。そのため、第１の表面パネル３２３ａの側面３２３ｃ（第２の表面パネル３２３ｂの側面３２３ｃ）と、壁カールピース５５０の第２の受け面５５７と、の間には、隙間が存在している。
【００５４】
これによれば、第１の表面パネル３２３ａの側面３２３ｃ（第２の表面パネル３２３ｂの側面３２３ｃ）と、壁カールピース５５０の第２の受け面５５７と、の間に、十分な量のシリコーンなどのシーリング材５８３を充填させることができ、十分なシール機能を発揮することができる。つまり、第１の壁パネル３１０と第２の壁パネル３２０との間に、十分な量のシーリング材５８３を充填させることができる。また、両端フレーム材３２７は、壁カールピース５５０の第２の受け面５５７と当接しているため、第１の表面パネル３２３ａの側面３２３ｃ（第２の表面パネル３２３ｂの側面３２３ｃ）と、壁カールピース５５０の第２の受け面５５７と、の間の隙間の奥を塞いでいる。これにより、シーリング材５８３が奥へ（建築躯体の方へ）抜けることを抑え、シーリング材５８３が無駄になることを抑えることができる。
【００５５】
また、前述したように、第１の受け面５５５および第２の受け面５５７を有する壁カールピース５５０の第２の係合突部５５１は、第１のジョイナ５２０の第３の被係合部５２５と係合する。これによれば、第１のジョイナ５２０として、鋼板を有する壁パネル同士を平面上で接続する平ジョイナを用いることができる。そのため、陶磁器を有する壁パネルと、鋼板を有する壁パネルと、が互いに隣接する浴室コーナ部の壁パネル連結構造を簡略化し、コストの低減を図ることができる。
【００５６】
次に、第１の壁パネル３１０および第２の壁パネル３２０の組立手順について、図面を参照しつつ説明する。  
図１１および図１２は、第１の壁パネルおよび第２の壁パネルの組立手順の一例を例示する模式的断面図である。  
図１１および図１２は、図１に表した切断面Ｃ−Ｃにおける模式的断面図に相当する。
【００５７】
図１１および図１２では、第１の壁パネル３１０および第２の壁パネル３２０のうちの第１の壁パネル３１０を先に取り付ける場合を例に挙げて説明する。  
まず、図１１（ａ）に表した矢印Ｄ１のように、壁カールピース５５０を第１のジョイナ５２０および柱材本体５１０の方へ移動させる。そして、図１１（ｂ）に表したように、壁カールピース５５０の第２の係合突部５５１を、第２のジョイナ５３０を介して第１のジョイナ５２０の第３の被係合部５２５と係合させる。また、壁カールピース５５０の引っ掛け部５５３を柱材本体５１０の側面に引っ掛ける。
【００５８】
続いて、図１１（ｃ）に表した矢印Ｄ２のように、第１の壁パネル３１０を第１のジョイナ５２０および柱材本体５１０の方へ移動させる。そして、図１２（ａ）に表したように、第１の壁パネル３１０の第１の係合突部３１７を、第２のジョイナ５３０を介して第１のジョイナ５２０の第１の被係合部５２１と係合させる。
【００５９】
続いて、図１２（ｂ）に表した矢印Ｄ３のように、第２の壁パネル３２０をクランプばね５４０の方へ移動させる。そして、図１２（ｃ）に表したように、第２の壁パネル３２０の両端フレーム材３２７の係合部３２８をクランプばね５４０の第２の被係合部５４１と係合させる。
【００６０】
図１１および図１２に表した組立手順によれば、第１の壁パネル３１０および第２の壁パネル３２０のうちの第１の壁パネル３１０を先に取り付けることができる。  
また、第１の壁パネル３１０および第２の壁パネル３２０のいずれか一方を外す場合には、第１の壁パネル３１０および第２の壁パネル３２０のいずれか他方に干渉されることなく、第１の壁パネル３１０および第２の壁パネル３２０のいずれか一方を単独で外すことができる。
【００６１】
図１３および図１４は、第１の壁パネルおよび第２の壁パネルの組立手順の他の一例を例示する模式的断面図である。  
図１３および図１４は、図１に表した切断面Ｃ−Ｃにおける模式的断面図に相当する。
【００６２】
図１３および図１４では、第１の壁パネル３１０および第２の壁パネル３２０のうちの第２の壁パネル３２０を先に取り付ける場合を例に挙げて説明する。  
まず、壁カールピース５５０の組立手順は、図１１（ａ）および図１１（ｂ）に関して前述した組立手順と同様である。
【００６３】
続いて、図１３（ａ）に表した矢印Ｄ４のように、第２の壁パネル３２０をクランプばね５４０の方へ移動させる。そして、図１３（ｂ）に表したように、第２の壁パネル３２０の両端フレーム材３２７の係合部３２８をクランプばね５４０の第２の被係合部５４１と係合させる。
【００６４】
続いて、図１４（ａ）に表した矢印Ｄ５のように、第１の壁パネル３１０を第１のジョイナ５２０および柱材本体５１０の方へ移動させる。そして、図１４（ｂ）に表したように、第１の壁パネル３１０の第１の係合突部３１７を、第２のジョイナ５３０を介して第１のジョイナ５２０の第１の被係合部５２１と係合させる。
【００６５】
図１３および図１４に表した組立手順によれば、第１の壁パネル３１０および第２の壁パネル３２０のうちの第２の壁パネル３２０を先に取り付けることができる。  
また、第１の壁パネル３１０および第２の壁パネル３２０のいずれか一方を外す場合には、第１の壁パネル３１０および第２の壁パネル３２０のいずれか他方に干渉されることなく、第１の壁パネル３１０および第２の壁パネル３２０のいずれか一方を単独で外すことができる。
【００６６】
次に、本発明の他の実施の形態について、図面を参照しつつ説明する。  
図１５は、本発明の他の実施の形態にかかる浴室コーナ部の壁パネル連結構造を表す模式的断面図である。  
本実施形態の柱材５００ａは、第１の柱材本体５６０と、第２の柱材本体５７０と、を有する。
【００６７】
第１の柱材本体５６０は、図９（ａ）に関して前述した柱材本体５１０と同様に、第１の壁パネル３１０の高さ（長さ）と略同じ高さ（長さ）を有し、上下方向に延在している。第１の柱材本体５６０は、例えば鋼板などにより形成されている。第１の柱材本体５６０は、第１の被係合部５６１を有する。第１の被係合部５６１は、第１の柱材本体５６０の一方の先端部に設けられ、第１の壁パネル３１０の第１の係合突部３１７と係合する。
【００６８】
第２の柱材本体５７０は、図９（ａ）に関して前述した柱材本体５１０と同様に、第１の壁パネル３１０の高さ（長さ）と略同じ高さ（長さ）を有し、上下方向に延在している。第２の柱材本体５７０は、例えば鋼板などにより形成され、例えばねじなどの締結部材５８１により第１の柱材本体５６０に固定されている。第２の柱材本体５７０は、図８〜図１０に関して前述したクランプばね５４０および壁カールピース５５０のそれぞれの機能を有する。
【００６９】
すなわち、第２の柱材本体５７０は、第２の被係合部５７１を有する。第２の被係合部５７１は、第２の柱材本体５７０の先端部に設けられ、第２の壁パネル３２０の両端フレーム材３２７の係合部３２８と係合する。  
また、第２の柱材本体５７０は、第１の受け面５７３と、第２の受け面５７５と、を有する。第１の壁パネル３１０が取り付けられた状態では、第１の受け面５７３は、第１の壁パネル３１０の側面３１５（図７（ｂ）および図７（ｄ）参照）と当接する。第２の壁パネル３２０が取り付けられた状態では、第２の受け面５７５は、第２の壁パネル３２０の側面３２７ａ（両端フレーム材３２７の側面３２７ａ）と当接する。
【００７０】
本実施形態にかかる浴室コーナ部の壁パネル連結構造では、第１の壁パネル３１０が第１の受け面５７３と当接した状態において、第１の壁パネル３１０の鋼板３１３の前面は、第２の壁パネル３２０の側面３２７ａと同一の位置または第２の壁パネル３２０の側面３２７ａよりも第１の壁パネル３１０の背面の側へ後退した位置に設けられている。一方、第２の壁パネル３２０が第２の受け面５７５と当接した状態において、第２の壁パネル３２０の第１の表面パネル３２３ａの前面は、第１の壁パネル３１０の側面３１５と同一の位置または第１の壁パネル３１０の側面３１５よりも第２の壁パネル３２０の背面の側へ後退した位置に設けられている。
【００７１】
これによれば、図８に関して前述した効果と同様に、第１の壁パネル３１０および第２の壁パネル３２０のいずれか一方を第１の壁パネル３１０および第２の壁パネル３２０のいずれか他方に干渉されることなく単独で外すことができる。また、第１の壁パネル３１０と第２の壁パネル３２０との接続をより容易に行うことができる。  
なお、第１の壁パネル３１０と第２の壁パネル３２０との間に、シーリング材５８３が充填されている。これによれば、図８に関して前述した効果と同様の効果が得られる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、柱材５００などが備える各要素の形状、寸法、材質、配置などや第１のジョイナ５２０、第２のジョイナ５３０、クランプばね５４０および壁カールピース５５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０、２０ 浴室ユニット、  １００ 洗い場床、  ２００ 浴槽、  ３００ 壁材、  ３１０ 第１の壁パネル、  ３１１ 母材、  ３１３ 鋼板、  ３１５ 側面、  ３１７ 第１の係合突部、  ３２０ 第２の壁パネル、  ３２１ フレーム体、  ３２３ａ 第１の表面パネル、  ３２３ｂ 第２の表面パネル、  ３２３ｃ 側面、  ３２４ 上端フレーム材、  ３２５ 下端フレーム材、  ３２７ 両端フレーム材、  ３２７ａ 側面、  ３２８ 係合部、  ３２９ 突き合わせ面、  ３３０ 第３の壁パネル、  ３４０ 第４の壁パネル、  ４１０ 鏡、  ４２０ カウンタ、  ５００、５００ａ 柱材、  ５１０ 柱材本体、  ５２０ 第１のジョイナ、  ５２１ 第１の被係合部、  ５２５ 第３の被係合部、  ５３０ 第２のジョイナ、  ５３１ 第１の保持部、  ５３３ 第２の保持部、  ５３５ シーリング材、  ５４０ クランプばね、  ５４１ 第２の被係合部、  ５５０ 壁カールピース、  ５５１ 第２の係合突部、  ５５３ 引っ掛け部、  ５５５ 第１の受け面、  ５５７ 第２の受け面、  ５６０ 第１の柱材本体、  ５６１ 第１の被係合部、  ５７０ 第２の柱材本体、  ５７１ 第２の被係合部、  ５７３ 第１の受け面、  ５７５ 第２の受け面、  ５８１ 締結部材、  ５８３ シーリング材
【図１】
2014185462.tif 000003
【図２】
2014185462.tif 000004
【図３】
2014185462.tif 000005
【図４】
2014185462.tif 000006
【図５】
2014185462.tif 000007
【図６】
2014185462.tif 000008
【図７】
2014185462.tif 000009
【図８】
2014185462.tif 000010
【図９】
2014185462.tif 000011
【図１０】
2014185462.tif 000012
【図１１】
2014185462.tif 000013
【図１２】
2014185462.tif 000014
【図１３】
2014185462.tif 000015
【図１４】
2014185462.tif 000016
【図１５】
2014185462.tif 000017